(57)【特許請求の範囲】
【請求項１】
ハウジング内に設けられた水車を水圧で回し減速機を介して回転軸を回転させる構造の水圧回転装置において、前記ハウジング内には、水路と連通して嵌合室が形成されているとともに、嵌合室と連通状に前記水車を収納する水車室が形成され、前記水車へ向かうノズル水路及び／または水車からの排水路を形成した別体の水路形成部材が、前記嵌合室に嵌め込まれていることを特徴とする水圧回転装置。
【請求項２】
前記水路形成部材には、前記ノズル水路及び／または排水路の半断面形状が形成され、前記ハウジング側に、対応する半断面形状のノズル水路及び／または排水路が形成されていることを特徴とする請求項１に記載の水圧回転装置。
【請求項３】
前記水路形成部材には、位置決め用の凸部または凹部が形成され、前記ハウジング側には、前記凸部または凹部が嵌合される凹部または凸部が形成されていることを特徴とする請求項１または請求項２に記載の水圧回転装置。
【請求項４】
前記ノズル水路は、ハウジングに連通された握り部の水路の略延長線上で、水車の中心に対し所定の角度首を振った方向に配置されているとともに、前記排水路は、ノズル水路に対し左右及び／または上下にズレた位置に配置されていることを特徴とする請求項１または請求項２に記載の水圧回転装置。
【請求項５】
前記水路形成部材が、前記水車を囲むように配設されていることを特徴とする請求項１または請求項２または請求項３または請求項４に記載の水圧回転装置。
【請求項６】
前記水路形成部材は、着脱交換可能であることを特徴とする請求項１または請求項２または請求項３または請求項４または請求項５に記載の水圧回転装置。
【請求項７】
前記回転軸の先端に、洗浄用のブラシを設けたことを特徴とする請求項１または請求項２または請求項３または請求項４または請求項５または請求項６に記載の水圧回転装置。
【請求項８】
前記回転軸の先端に、回転運動を往復運動とか押圧運動に変える部材を設けたことを特徴とする請求項１または請求項２または請求項３または請求項４または請求項５または請求項６に記載の水圧回転装置。
【発明の詳細な説明】
【０００１】
【産業上の利用分野】
この発明は、浴室用掃除具，洗車具，ボディブラシ，マッサージ具等として使用する水圧回転装置に関するものである。
【０００２】
【従来の技術及びその課題】
従来、水圧を利用して回転させる構造の水圧回転装置が存在するが、従来では、ノズルの形状は単純な直管状であり、複雑なノズル形状にしようとすると、金型が複雑になって成形が困難となり、効率の良いノズルが形成しにくいという問題点があった。
また、従来では、水車室からの排水構造は、解放された形状の水車室からそのまま排水するものとか、水車室の内壁とか底面に固定的に排水口を設けて、そこから排水する構造のものであり、ノズルから噴出される水は衝突力のみで水車を回転させるため、エネルギー効率が悪く、また、適切な位置に排水口を形成することが困難で、従来では、金型が複雑になったりコストが高くなってしまうという問題点があり、また、サイズが大きくなったり、肉厚となって重量が増してしまうという問題点があった。
【０００３】
【課題を解決するための手段】
本発明は上記従来の問題点に鑑み案出したものであって、効率の良い複雑なノズル形状を得ることができ、また、効率良く排水することのできる水圧回転装置を提供せんことを目的とし、その第１の要旨は、ハウジング内に設けられた水車を水圧で回し減速機を介して回転軸を回転させる構造の水圧回転装置において、前記ハウジング内には、水路と連通して嵌合室が形成されているとともに、嵌合室と連通状に前記水車を収納する水車室が形成され、前記水車へ向かうノズル水路及び／または水車からの排水路を形成した別体の水路形成部材が、前記嵌合室に嵌め込まれていることである。
また第２の要旨は、前記水路形成部材には、前記ノズル水路及び／または排水路の半断面形状が形成され、前記ハウジング側に、対応する半断面形状のノズル水路及び／または排水路が形成されていることである。
また第３の要旨は、前記水路形成部材には、位置決め用の凸部または凹部が形成され、前記ハウジング側には、前記凸部または凹部が嵌合される凹部または凸部が形成されていることである。
また第４の要旨は、前記ノズル水路は、ハウジングに連通された握り部の水路の略延長線上で、水車の中心に対し所定の角度首を振った方向に配置されているとともに、前記排水路は、ノズル水路に対し左右及び／または上下にズレた位置に配置されていることである。
また第５の要旨は、前記水路形成部材が、前記水車を囲むように配設されていることである。
また第６の要旨は、前記水路形成部材は、着脱交換可能であることである。
また第７の要旨は、前記回転軸の先端に、洗浄用のブラシを設けたことである。
また第８の要旨は、前記回転軸の先端に、回転運動を往復運動とか押圧運動に変える部材を設けたことである。
【０００４】
【実施例】
以下、本発明の実施例を図面に基づいて説明する。
図１〜図６は水圧回転装置の第１実施例の浴室用掃除具を示すものであり、図１において、浴室用掃除具１は、水路２ａを形成する握り部２の先端にハウジング３が形成されており、このハウジング３は底側が解放されて、図２の縦断面図で、また図３で図２におけるＣ方向矢視図で示すような構造に形成されており、ハウジング３内には、前記水路２ａと連通して嵌合室Ｓ２が形成され、この嵌合室Ｓ２内には内側へ突出して嵌合用の凸部３ａが形成されたものとなっており、また、嵌合室Ｓ２と連通状に、水車を収納する水車室Ｓ１が形成されたものとなっている。
【０００５】
この水車室Ｓ１内には、回転可能に水車４が設けられ、この水車４の外側の前記嵌合室Ｓ２内に水路形成部材５が嵌め込みまたは接着により配置されており、この水路形成部材５には後述するノズル水路５１と排水路５２が形成されたものとなっている。また、水車４の下部にはギアボックス６が配置されており、ギアボックス６内には減速用のギア７が内装されて回転軸１００が回転されるように構成され、ギアボックス６の底側に散水板８がハウジング３の底部に固定され、散水板８の下部に、回転軸１００にブラシベース９を介してブラシ１０が回転可能に配置されたものとなっている。
【０００６】
前記水路形成部材５は別体で形成されて嵌合室Ｓ２に嵌め込まれるものであり、図４及び、図５において図４のＢ矢視図を示し、また図６では図４のＡ−Ａ線断面図を示して、この水路形成部材５を説明すると、水路形成部材５には斜め方向に貫通状にノズル水路５１が形成され、ノズル水路５１の外側は、大径のノズル入口５１ａとなっており、このノズル入口５１ａ内に前記水路２ａから水流が流入されるものであり、ノズル水路５１内には、次第に水路の断面を縮小して絞り部５１ｃが形成されて、絞り部５１ｃの出口５１ｂ側は拡径した形状に形成されており、ノズル出口５１ｂから勢いよく噴出される水流が水車４の外周に衝突して、水車４を回転させることができるものであり、ノズル水路５１には流速を高めるために前記絞り部５１ｃが形成され、また、ノズル出口５１ｂ側は拡径されて、水流の飛び散りが少ないように構成されており、しかもノズル水路５１は水車４の外周接線方向に向かう角度の傾斜状に形成されている。また、水路形成部材５の内側には、抉れ状に排水路５２が形成され、この排水路５２は湾曲状に抉られて、水車４を回転させた後の水を効率良く下方へ排出できるように構成されている。
【０００７】
このようなノズル水路５１と排水路５２を形成した水路形成部材５を、嵌め込み状にハウジング３内に配設するものであるため、ハウジング３は単純な形状に形成でき、単純な金型を用いて、安価で、しかも肉厚を抑えて軽量化して形成することができ、また、水路形成部材５は別体で形成されるものであるため、ノズル水路５１の径の変化とか曲がり等を有する複雑な形状に形成することができ、排水路５２の位置とか大きさも最適な効率の良い形状に形成させることができるものである。
【０００８】
なお、ノズル水路５１及び排水路５２の形状等の異なる水路形成部材５を複数用意しておき、現場の水圧や流量等、現場の状況に合わせて、最適な水路形成部材５を選択して嵌め込み状に取り付けることができ、また、水路形成部材５を別のものと交換することも可能となる。
【０００９】
なお、水路形成部材５の外縁側には凹み状に凹部５ａが形成されており、水路形成部材５を嵌合室Ｓ２内に嵌合する際に、嵌合室Ｓ２の凸部３ａを凹部５ａ内に嵌合させて、水路形成部材５を嵌合室Ｓ２内で良好に位置決めして嵌合することができ、ノズル入口５１ａを握り部２の水路２ａの延長線上の正確な位置に配置させることができ、ノズル出口５１ｂから水車４の外周に向かって良好に水を噴出させることができ、しかも水車４の外周に噴射された水は水車４に衝突した後も水車４の回りを回って水車４に回転力を与え、下部に形成された排水路５２から効率良く排出されるものであり、エネルギー効率が良好なものとなる。
【００１０】
次に、図７〜図１２は第２実施例を示すものであり、本例では、ノズル水路５１を形成するノズル水路形成部材１１と、排水路を形成する排水路形成部材１２が別々に形成されており、また、ハウジング３には、ノズル水路形成部材１１と整合する半断面形状のノズル水路５１を形成するノズル水路形成部３１が形成されたものとなっている。
即ち、図７の断面図で示すように、ハウジング３内に回転可能に設けられている水車４の外側に、ハウジング３側にはノズル水路形成部３１が形成されており、このノズル水路形成部３１に対して、下側よりノズル水路形成部材１１が整合状に嵌め込まれてノズル水路５１が形成されるものであり、その下部には、板状の排水路形成部材１２が配置され、その下部にギアボックス６１が配置されて、ギアボックス６１内には減速用のギア７１が内蔵されており、ハウジング３の底側より押さえ部材１３が螺合されて、この押さえ部材１３によりギアボックス６１が内部に固定されたものとなっており、押さえ部材１３の下部に、ブラシベース９を介在させて回転可能にブラシ１０が設けられたものとなっている。
【００１１】
図８ではハウジング３の縦断面図を、また図９では図８のＣ矢視図を示し、ハウジング３に一体形成されたノズル水路形成部３１を説明すると、このノズル水路形成部３１は、水車４を設ける水車室Ｓ１の外側の、ノズル水路形成部材１１を嵌め込むノズル嵌合室Ｓ３の上面側に形成されており、図９及び図１１の拡大図に示すように、ノズル水路形成部３１の中央部には、水車４の外周の接線方向に向けて水を噴出させるノズル出口５１ｂを有するノズル水路５１が形成されており、ノズル水路５１の入口５１ａ側は、握り部２の水路２ａの延長線上に連通状に開口されており、ノズル水路５１の左右両側には、基準面３１ａの内側に立ち上げ状に嵌合凸部３１ｂが形成され、嵌合凸部３１ｂの内側には凹み状に肉抜き凹部３１ｃが形成されたものとなっている。
このようなノズル水路形成部３１をハウジング３に一体形成するに際し、金型はスライド型を用いる必要がなく、複雑な金型を用いなくても容易に成形後に抜くことができ、ハウジング３を安価に形成させることができるものである。
【００１２】
次に、このハウジング３に一体形成されたノズル水路形成部３１に対し整合状に嵌め込まれる別体のノズル水路形成部材１１は、図１０の平面図で、また図１１に斜視図で示すような構造に形成されており、前記ノズル水路形成部３１のノズル水路５１と整合する、傾斜状のノズル水路５１の半断面が中央部に形成されており、その左右側方には、外周側に基準面１１ａが形成され、基準面１１ａの内側には凹み状に嵌合凹部１１ｂが形成され、この嵌合凹部１１ｂの内側に更に凹ませて肉抜き凹部１１ｃが形成されたものとなっており、このノズル水路形成部材１１をハウジング３のノズル嵌合室Ｓ３に嵌め込む際に、ハウジング３側の基準面３１ａに対しノズル水路形成部材１１の基準面１１ａを当接させると、ハウジング３側の嵌合凸部３１ｂがノズル水路形成部材１１側の嵌合凹部１１ｂに位置決めされて嵌め込まれ、嵌め込み整合された状態で、ハウジング側のノズル水路５１とノズル水路形成部材１１側のノズル水路５１が整合して、完全な水路５１が形成されるものであり、嵌合凸部３１ｂが嵌合凹部１１ｂに良好に位置決め嵌合されて、精度の良いノズル水路５１が成形されるものである。
【００１３】
また、前記排水路形成部材１２は、図１２の分解図で示すように、切欠状に排水口１２ａを形成した円板状に形成されており、ギアボックス６１の上面に当接状に配置されるものであり、ギアボックス６１の上面にも、前記排水口１２ａと整合する位置に切欠状に切欠部６１ａが形成されたものとなっている。
前記ノズル水路５１の出口５１ｂから噴出された水は、水車４に衝突して水車４を回転させるとともに、水車４の外周を旋回して、良好にこの排水口１２ａ，６１ａから効率良く排水されるものである。
【００１４】
本例においては、ノズル水路形成部材１１と排水路形成部材１２が別体で形成されるため、複雑なノズル水路５１および排水口１２ａも安価な金型でそれぞれ製作することができるものであり、ノズル水路５１の曲がりとか径の異なるノズル水路形成部材１１を複数種類用意しておき、また、排水路形成部材１２も排水口１２ａの位置とか大きさ等の異なるものを複数種類用意しておけば、現場の状況等に合わせて最適なものを選択して嵌め込み状に取り付けることができるものであり、また、交換も容易なものとなる。
【００１５】
次に、図１３〜図１６は第３実施例を示すものであり、図１３の断面図で示すように、ハウジング３内に設けられた水車４の外周側には、水路形成部材１５が包囲状に配置され、その下部に、ギア７２を内装したギアボックス６２が配置され、このギアボックス６２は、ハウジング３に螺合された押さえ部材１３により固定されるものであり、押さえ部材１３の下方には、ブラシベース９を介してブラシ１０が設けられたものとなっている。
【００１６】
水路形成部材１５は図１４において、図１３のＤ−Ｄ線断面図で示すように、ハウジング３の内側に嵌め込まれる外壁部１５ａの内側に、凹み状に肉を抜いた肉抜き部１５ｃが形成され、その内側に、水車４の外周を囲むように内壁部１５ｂが一体形成されたものとなっており、外壁部１５ａの一部から内壁部１５ｂの一部に向かって傾斜状のノズル水路１５ｄが凹み状に形成され、また、このノズル水路１５ｄから約３００°回転した位置に、排水路１５ｅが貫通状に形成されたものとなっており、ノズル水路１５ｄは嵌め込まれた状態で、その入口が握り部２の水路２ａと連通して、水路２ａの延長線上に配置されるような位置に形成されており、ノズル水路１５ｄの出口側から噴出された水は、水車４の外周に接線方向で衝突するように傾斜状に形成されており、水は水車４に衝突して水車４を回転させるとともに、水車４の外周側に沿って排水路１５ｅ側へ旋回され、この過程においても良好に回転エネルギーを水車４に与えて、水車４に回転力を付与できるものであり、エネルギー効率が向上するように設計されている。
【００１７】
なお、図１５は、前記排水路１５ｅの位置で切断して内部のギア７２等を省略して簡略化させた縦断面図である。即ち、排水路１５ｅは上部が水車４側に開口されて、下端側が貫通し、排水がギアボックス６２に設けられた孔から下方側へ流下されるように構成されている。
【００１８】
なお、図１６は、水路形成部材１５に排水路を２個形成したものであり、図１６のように排水路１５ｅ，１５ｆを異なる位置に２個形成したものを使用すれば、流量が大な現場に適応させることができ、このような水路形成部材１５を取り付けて使用し、排水効率を良好に高めることができるものとなる。
【００１９】
なお、上記構成は、回転軸１００の先端にブラシベース９及びブラシ１０を設けた洗浄ブラシについて述べているが、洗車具，ボディブラシ等に適用することができるものである。また、ブラシベース９及びブラシ１０に代えて、回転軸１００の先端に、回転運動を往復運動とか押圧運動に変える部材を設けてマッサージ具等を構成することができるものである。
【００２０】
即ち、図１７及び図１８では水圧回転装置の第４実施例を示し、前記ハウジング３内に設けられる、水車４及び減速ギヤ７及び散水板８の構成は、前記第１実施例と同様である。
第４実施例では回転軸１００の先端に雄のスプライン１００ｂを形成させておき、この雄スプライン１００ｂが嵌合するスプライン孔１３１ａを中心に有する円板１３１を、押さえ板１３２で押さえて構成したものである。
【００２１】
即ち、散水板８の下面に固設板１３０を固定しておき、この固設板１３０の下側に、円板１３１を回転可能に設け、この円板１３１の下面に、押さえ板１３２を取り付けるものであり、円板１３１と押さえ板１３２を逆向きにした分解図を図１８に示すが、円板１３１の裏面には、スプライン孔１３１ａを中心として楕円形状のボール溝１３１ｂが形成されており、このボール溝１３１ｂ内に、２個のボール１３３，１３３を転動可能に配置させて、楕円状のボール溝１３１ｂに沿ってボール１３３，１３３が転動できるように構成されており、また、押さえ板１３２には、ボール１３３の下端が下方へ突出することができ、しかもボール１３３が往復動できるように往復長孔１３２ｂ，１３２ｂが一対形成されており、また、押さえ板１３２の両端に一体状に立ち上げ形成された立上片１３２ａ，１３２ａは、円板１３１の下側から固設板１３０の外周に接着剤等で接着固定され、円板１３１及びボール１３３の下方への抜脱を防ぐように構成されている。
【００２２】
このような構造では、回転軸１００が回転されると、これに伴い円板１３１が回転し、円板１３１の回転により、ボール溝１３１ｂの楕円形状に沿ってボール１３３，１３３が転動しようとするが、各ボール１３３，１３３は押さえ板１３２の往復長孔１３２ｂ，１３２ｂ内に嵌め込まれているため、この往復長孔１３２ｂの長さ分だけ往復動することとなり、円板１３１の回転が往復長孔１３２ｂに沿った往復動に変えられてボール１３３は往復動を行うことができ、このボール１３３，１３３を肩とか首等に押し付けて、肩とか首を良好に揉むことができて、マッサージ具として使用することができるものとなる。
【００２３】
次に、図１９〜図２２に示すものは水圧回転装置の第５実施例であり、本例では、散水板８の下面に固定した固設板１３０の下側に、上円板１３５と下円板１３６を一体回転可能に配設して、その外側にスペーサ１３７を設け、さらにスペーサ１３７の下面側に、押さえ板１３８を介して、一対の揺動部材１３９，１３９を取り付けたものであり、図２０の逆向きにした分解斜視図で示すように、上円板１３５及び下円板１３６は同径に形成されており、中央部には、回転軸１００の先端に形成された雄スプライン１００ｂが嵌合する雌スプラインを有するスプライン孔１３６ａが形成されており、上円板１３５と下円板１３６の重合わされた面内部に、一対のボール１３３，１３３を自由に自転できるように内蔵させたものであり、下円板１３６には各ボール１３３，１３３の下端が突出するように孔１３６ｂ，１３６ｂが形成されたものとなっている。
【００２４】
また、押さえ板１３８に支持されて上下方向に揺動できる一対の揺動部材１３９，１３９には、下方側へ蒲鉾状に突出する押圧突条部１３９ａが形成され、その上部には外側へ突出して抜脱防止鍔部１３９ｂ，１３９ｂが一体形成されており、この抜脱防止鍔部１３９ｂ，１３９ｂが、押さえ板１３８に形成された長孔に係止されて下方への抜脱が防がれるものとなっており、また、各揺動部材１３９の上面には、図２１に上面側からの斜視図で示すように、三角形状の三角突起部１３９ｃが上方へ突出形成されており、この三角突起部１３９ｃの両側には、ボール１３３を三角突起部１３９ｃに良好に導くようにボールガイド部１３９ｄ，１３９ｄが形成されたものとなっている。
【００２５】
一対の揺動部材１３９，１３９は図２１に示すように、三角突起部１３９ｃ，１３９ｃを対向させて配置されており、前記回転軸１００の回転に伴い上円板１３５と下円板１３６が一体で回転されると、ボール１３３，１３３は自転しながら公転し、揺動部材１３９の三角突起部１３９ｃ，１３９ｃに乗り上げて、三角突起部１３９ｃ，１３９ｃを下方側へ押圧すると、図２２に示すように、揺動部材１３９は押さえ板１３８内で傾いた状態となり、押圧突条部１３９ａの長手方向の三角突起部１３９ｃ側が下方側へ傾き突出して、この時に、肩とか首等にこの揺動部材１３９の押圧突条部１３９ａが当接されていれば、良好に肩とか首等を押圧することができるものとなり、回転軸１００の回転により、ボール１３３，１３３を介して一対の誘導部材１３９の三角突起部１３９ｃ，１３９ｃへの乗り上げが順次繰り返されて、一対の揺動部材１３９，１３９は交互に上下の傾動運動を繰り返し、良好に肩とか首を叩いて振動を与え、また揉むことができるものとなり、良好なマッサージ効果を与えることができるものとなる。
【００２６】
次に、図２３〜図２６に示すものは水圧回転装置の第６実施例であり、本例では、回転軸１００の先端に、偏心したカム部１４１を設けて、このカム部１４１を、往復部材１４２の長円状のカム挿入穴１４２ｂ内に遊嵌させて構成したものであり、往復部材１４２は、ガイド部材１４０にガイドされて往復運動できるように構成され、往復部材１４２の下面に形成された嵌め溝１４２ｃに、歯ブラシ１４４ａの柄部１４４を、押さえ部材１４３を介在させて嵌め付けておけば、歯ブラシ１４４ａが往復運動をなし、良好に歯磨きを行うことができるものとなる。
【００２７】
図２４には、往復部材１４２と、ガイド部材１４０と、カム部１４１を逆向きにさせた分解斜視図を示すが、往復部材１４２には、カム部１４１が嵌め込まれる長円状のカム挿入穴１４２ｂが形成されており、往復部材１４２の外周には、外側へ突出してガイド突起１４２ａが形成され、このガイド突起１４２ａが係合されるガイド溝１４０ａがガイド部材１４０の内側に形成されており、このガイド部材１４０を散水板８の下面に固定状に取り付けておけば、回転軸１００の回転に伴いカム部１４１が回転して、これにより往復部材１４２がガイド溝１４０ａに沿って往復動することとなる。
【００２８】
即ち、図２５では、往復部材１４２がガイド部材１４０から離れる方向に移動した状態の断面図を示し、また、図２６では、往復部材１４２がガイド部材１４０に近づく方向に移動した状態の断面図を示すものである。
なお、本例では、歯ブラシ１４４ａを往復動させて歯磨きができるように構成しているが、この歯ブラシ１４４ａの代わりに、往復部材１４２に突起等を形成させるか、別部材で突起等を付設させておけば、突起等の往復動により、肩とか首を叩く，揉む等のマッサージ効果を得ることができるものとなる。
【００２９】
このように水圧で回転される水車４の回転力で、減速ギヤを介して回転軸１００を回転させ、ブラシ１０を回転させても、また、往復運動とか押圧運動に変えて、種々の構造のマッサージ具等として使用することができるものである。
【００３０】
【発明の効果】
本発明は、ハウジング内に設けられた水車を水圧で回し減速機を介して回転軸を回転させる構造の水圧回転装置において、前記ハウジング内には、水路と連通して嵌合室が形成されているとともに、嵌合室と連通状に前記水車を収納する水車室が形成され、前記水車へ向かうノズル水路及び／または水車からの排水路を形成した別体の水路形成部材が、前記嵌合室に嵌め込まれていることにより、別体の水路形成部材に、複雑な形状のノズルとか、最適な位置や大きさの排水路を形成させて、金型で安価に製造することができ、ハウジング側は単純な形状にコストを低減させて形成することができるものとなり、また、ノズル水路と排水路の位置関係等も自由に設定して複数種類の水路形成部材を用意しておくことができ、現場の状況等に合わせて最適な水路形成部材を選択して使用することができるものとなる。
【００３１】
また、前記水路形成部材には、前記ノズル水路及び／または排水路の半断面形状が形成され、前記ハウジング側に、対応する半断面形状のノズル水路及び／または排水路が形成されていることにより、ハウジング及び水路形成部材を、共に簡単な金型で形成することができ、コストを低減させることができるものとなる。
【００３２】
また、前記水路形成部材には、位置決め用の凸部または凹部が形成され、前記ハウジング側には、前記凸部または凹部が嵌合される凹部または凸部が形成されていることにより、凸部と凹部を整合させて良好に位置決めし、精度の良いノズル水路とか排水路を形成させることができるものとなる。
【００３３】
また、前記ノズル水路は、ハウジングに連通された握り部の水路の略延長線上で、水車の中心に対し所定の角度首を振った方向に配置されているとともに、前記排水路は、ノズル水路に対し左右及び／または上下にズレた位置に配置されていることにより、ノズル水路と排水路を隣合わせに設置できて、僅かなスペースで形成することができ、ノズル水路から噴出される水を効率良く水車の外周に衝突させ、かつ衝突後の水を水車の回りに旋回させて、エネルギー効率を高めて水車の回転力を高めることができるものとなる。
【００３４】
また、前記水路形成部材が、前記水車を囲むように配設されていることにより、ノズル水路と排水路の位置関係を自由に設定でき、水車の外周側にコンパクトに設置して効率良く水車を回転させることができるものとなり、水路形成部材は現場の水圧等に合わせて、最適なノズル水路，排水路を有するものを選択して取り付けることができるものとなる。
【００３５】
また、前記水路形成部材は、着脱交換可能であることにより、現場の状況等に合わせて、後からでも最適な水路形成部材に交換することが可能となる。
【００３６】
また、回転軸の先端に、洗浄用のブラシを設けたことにより、水圧で水車を回転させ、回転軸に取り付けられたブラシを回転させて良好に浴室の掃除を行うことができるものとなる。
【００３７】
また、回転軸の先端に、回転運動を往復運動とか押圧運動に変える部材を設けたことにより、水圧による回転力を往復運動とか押圧運動に変えて、肩とか首等をマッサージすることができ、浴室内で良好にマッサージを行うことができるものとなる。
【図面の簡単な説明】
【図１】水圧回転装置の第１実施例の浴室用掃除具の縦断面構成図である。
【図２】図１のハウジングの縦断面構成図である。
【図３】図２のＣ矢視図である。
【図４】図１における水路形成部材の拡大構成図である。
【図５】図４のＢ矢視図である。
【図６】図４のＡ−Ａ線断面図である。
【図７】水圧回転装置の第２実施例の浴室用掃除具の縦断面構成図である。
【図８】図７のハウジングの縦断面構成図である。
【図９】図８のＣ矢視図である。
【図１０】ノズル水路形成部材の平面構成図である。
【図１１】ハウジング側のノズル水路形成部と、ノズル水路形成部材の嵌め合わせ前の分解斜視図である。
【図１２】排水路形成部材とギアボックスの分解斜視図である。
【図１３】水圧回転装置の第３実施例の浴室用掃除具の縦断面構成図である。
【図１４】図１３のＤ−Ｄ線断面図である。
【図１５】図１４の排水口の部分で切断した浴室用掃除具の概略縦断面構成図である。
【図１６】２個の排水路を備えた水路形成部材の図１４に対応させた断面図である。
【図１７】水圧回転装置の第４実施例を示すマッサージ具として構成した場合の断面構成図である。
【図１８】図１７における円板とボールと押さえ板の逆向きの分解斜視図である。
【図１９】水圧回転装置の第５実施例を示す断面構成図である。
【図２０】図１９における円板と揺動部材の逆向きの分解斜視図である。
【図２１】図２０の揺動部材の上面側からの斜視構成図である。
【図２２】揺動部材が傾動した状態の作用説明図である。
【図２３】水圧回転装置の第６実施例を示す縦断面構成図である。
【図２４】図２３におけるカム部と往復部材とガイド部材の逆向きにした分解斜視図である。
【図２５】往復部材がガイド部材から離れた方向に移動した状態の作用説明図である。
【図２６】往復部材がガイド部材に近づく方向に移動する状態を示す作用説明図である  。
【符号の説明】
１  浴室用掃除具（水圧回転装置）
２  握り部
２ａ  水路
３  ハウジング
３ａ  凸部
４  水車
５  水路形成部材
５ａ  凹部
６  ギアボックス
７  ギア
８  散水板
９  ブラシベース
１０  ブラシ
１１  ノズル水路形成部材
１１ａ  基準面
１１ｂ  嵌合凹部
１１ｃ  肉抜き凹部
１２  排水路形成部材
１２ａ  排水口
１３  押さえ部材
１５  水路形成部材
１５ａ  外壁部
１５ｂ  内壁部
１５ｃ  肉抜き部
１５ｄ  ノズル水路
１５ｅ，１５ｆ  排水路
３１  ノズル水路形成部
３１ａ  基準面
３１ｂ  嵌合凸部
３１ｃ  肉抜き凹部
５１  ノズル水路
５１ａ  ノズル入口
５１ｂ  ノズル出口
５１ｃ  絞り部
５２  排水路
６１  ギアボックス
６１ａ  切欠部
６２  ギアボックス
７１  ギア
Ｓ１  水車室
Ｓ２  嵌合室
Ｓ３  ノズル嵌合室
１３０  固設板
１３１  円板
１３１ａ  スプライン孔
１３１ｂ  ボール溝
１３２  押さえ板
１３２ａ  立上片
１３２ｂ  往復長孔
１３３  ボール
１３５  上円板
１３６  下円板
１３６ａ  スプライン孔
１３６ｂ  ボール孔
１３７  スペーサ
１３８  押さえ板
１３９  揺動部材
１３９ａ  押圧突条部
１３９ｂ  抜脱防止鍔部
１３９ｃ  三角突起部
１３９ｄ  ボールガイド部
１４０  ガイド部材
１４０ａ  ガイド溝
１４１  カム部
１４２  往復部材
１４２ａ  ガイド突起
１４２ｂ  カム挿入穴
【図１】
0003575000.tif 000002
【図２】
0003575000.tif 000003
【図３】
0003575000.tif 000004
【図４】
0003575000.tif 000005
【図５】
0003575000.tif 000006
【図６】
0003575000.tif 000007
【図７】
0003575000.tif 000008
【図８】
0003575000.tif 000009
【図９】
0003575000.tif 000010
【図１０】
0003575000.tif 000011
【図１１】
0003575000.tif 000012
【図１２】
0003575000.tif 000013
【図１３】
0003575000.tif 000014
【図１４】
0003575000.tif 000015
【図１５】
0003575000.tif 000016
【図１６】
0003575000.tif 000017
【図１７】
0003575000.tif 000018
【図１８】
0003575000.tif 000019
【図１９】
0003575000.tif 000020
【図２０】
0003575000.tif 000021
【図２１】
0003575000.tif 000022
【図２２】
0003575000.tif 000023
【図２３】
0003575000.tif 000024
【図２４】
0003575000.tif 000025
【図２５】
0003575000.tif 000026
【図２６】
0003575000.tif 000027